(57)【要約】【課題】簡単な構成で、かつ、引き戸内部に埋設可能な薄型化を図ることができる引き戸クローザを提供する。【解決手段】ワイヤ４と、このワイヤ４の他端を固設するぜんまい５１を収容したぜんまい室５２及びワイヤ室５３を有するぜんまいユニット５と、ワイヤ４の中間部を巻装若しくは係止するとともにダンパ力をワイヤ４を介して引き戸に付与するダンパユニット６と、ワイヤ４が通過経路から脱線するのを防止するワイヤ乱れ防止手段７とを備えた引き戸クローザ２であって、ぜんまいユニット５は、引き戸１の閉扉速度を調整する調速手段８を、ぜんまい室５２の側面と対面する調速室５４に備え、ワイヤ室５３には、ワイヤ４を巻き取るためのワイヤプーリをぜんまい室５２との第１の境界壁５７に形成し、調速手段８はぜんまい室５２と調速室５４との境界を構成する第２の境界壁５６の厚さをぜんまい軸５５寄りの方がぜんまい５１の外周寄りの方よりも厚くなるように形成した。【選択図】図３
2008144421.tif 000002
【特許請求の範囲】
【請求項１】
建物側または引き戸側のいずれか一方に先端を取付けたワイヤと、このワイヤの基端を固設するらせん状のぜんまいを収容したぜんまい室及びこのぜんまい室の外側に形成したワイヤ室を有し、前記建物側または引き戸側のいずれか他方に取付けた筐体に収納するぜんまいユニットと、前記ワイヤの中間部を巻装若しくは係止するとともに前記引き戸の閉じ動作に抗したダンパ力を前記ワイヤを介して前記引き戸に付与するために、前記ぜんまいユニットと一体で前記筐体に収納したダンパユニットと、前記ワイヤが所定の通過経路から離脱するのを防止するワイヤ乱れ防止手段とを備え、開放した前記引き戸を自動的に閉鎖する引き戸クローザであって、
前記引き戸を閉鎖したときに巻き取った部分の前記ワイヤは、前記ワイヤ室に収納するように構成し、
前記ぜんまいユニットには、前記引き戸の閉扉速度を調整する調速手段を前記ぜんまい室に隣接する調速室に備え、ワイヤプーリの巾の中に前記ぜんまい室と前記調速手段を納め薄型化するとともに、
前記ワイヤ室には、前記ワイヤを巻き取るためのワイヤプーリを前記ぜんまい室との第１の境界壁に形成し、
前記調速手段は、前記ぜんまい室と前記調速室との第２の境界壁の厚さを前記ぜんまい軸寄りの方が前記ぜんまいの外周寄りの方よりも厚く形成し、
前記ワイヤ乱れ防止手段は、前記ダンパユニットと前記ぜんまいユニットとを互いに近接状態で、かつ、前記筐体の内壁面に近接配置することで形成した隙間と、前記ワイヤの通過経路近傍に設置したストッパとで構成した
ことを特徴とする引き戸クローザ。
【請求項２】
前記ダンパユニットは、
前記ワイヤの中間部を巻装または係止させるダンパプーリの回転中心に設けたプーリ軸は、前記筐体の一方側の面に開口した軸孔に支持される片持ち構造を有し、かつ、
前記ワイヤの引張動作の際に前記ダンパプーリが偏心動作を発生したときに、プーリ端部が前記筐体の軸孔部に微小な間隔をもって嵌合され、力を受けたときに、すべりながら回転して両端支持として前記ワイヤの力を受けることを特徴とする請求項１に記載の引き戸クローザ。
【請求項３】
前記ぜんまいユニットと前記ダンパユニットとを一体で収納した前記筐体は、前記引き戸の上面に開口したロック空間の内部に収容されているとともに、
前記引き戸の上面の前記ロック空間に前記筐体が入り込むと、前記ロック空間内に設けたロック室に係止してロックがされるロック手段を前記筐体に備え、かつ、
引き戸の前記ロック空間の内部の一部壁面又は全壁面に沿って、反発性のある弾性部材を固着させたことを特徴とする請求項１または２に記載の引き戸クローザ。
【請求項４】
前記ロック空間は、前記筐体の一面が前記引き戸の上面から外部に臨む状態で前記筐体が嵌入する埋設空間を構成し、
前記埋設空間に収容した前記筐体を前記引き戸の上面に螺着するための固定板を一体に備え、
前記引き戸を挿脱させる際に前記引き戸が、この引き戸の上面と対向する前記建物側に衝突するのを防止する保護手段を備えた
ことを特徴とする請求項３に記載の引き戸クローザ。
【請求項５】
前記引き戸の前記上面と対向する前記建物側にガイドレールを有し、
前記引き戸の前記上面に、ブラケッットとこのブラケットに回転可能に取付けて前記ガイドレールに沿って転動しながら開閉するための戸車とを有し、
前記ブラケットは、中央部にワイヤ孔を貫通して設け、
前記ワイヤは、前記ワイヤ孔を貫通して前記建物側と前記引き戸との間に架設されていることを特徴とする請求項１〜４のいずれか１項に記載の引き戸クローザ。
【発明の詳細な説明】
【技術分野】
【０００１】
本発明は、建物側の戸枠等に対してスライド可能に設置した引き戸に取付けて、開放後の引き戸を自動的に閉鎖させる(以下、自閉させる）引き戸クローザに関する。
【背景技術】
【０００２】
従来、この種の引き戸クローザとしては、例えば特許文献1に記載のものが知られている。即ち、これは、図８に示すように、ブラケット１０１にロータリーダンパー１０２とぜんまいケース１０３とが並設されるとともに、回転自在のぜんまいケース１０３にワイヤリール１０４が設けられている。また、ワイヤリール１０４には、ワイヤ１０５が巻回されるとともに、メインギア１０６が設けられており、かつ、ロータリーダンパー１０７にもギア１０８が設けられて、両ギアが噛み合うように配置されている。さらに、ぜんまいケース１０３のぜんまい内部を固定した調整軸１０９がブラケット１０１に回動可能に設けられているとともに、調整軸１０９が調整板１１０を介してブラケット１０１にビス止め１１１された構成のものである。なお、図８において、符号１１２はアイドルギアを示す。
【０００３】
また、引き戸クローザには、これ以外に、例えば、図９に示すように、ダンパユニット２０１と、ぜんまいユニット２０２と、このぜんまいユニット２０２に当接可能なようにストッパ手段２０３と、各ワイヤ巻き乱れ防止手段２０４と、ワイヤ２０５とを具備したものが知られている。この引き戸クローザは、ダンパユニット２０１のダンピング機能を適正に選択し、設定することで、引き戸２０６の過度の閉止慣性力で手を挟んだり、過度のダンピング機能の付与による引き戸２０６の閉止に過大な外力を要する不具合を解消できるようになっている。なお、図中符号２０７は引き戸クローザのケーシング、２０８はベースブラケット、２０９はぜんまい、２１０は引き戸枠体、２１１は支軸、２１２はオイルダンパを示す。さらに、符号Ａは開扉方向、Ｂは閉扉方向を示す。
【特許文献１】特開２０００−１３０００４号公報（図２）
【特許文献２】実用新案登録第３１０１７４３号公報（図３）
【発明の開示】
【発明が解決しようとする課題】
【０００４】
しかしながら、例えば、特許文献1に記載の引き戸クローザにあっては、噛み合うギア比が適当となるように各ギアの歯数を選択することで、閉扉速度の調整を可能とするような構成となっているが、ギアを３段に設置するなど構造が複雑であるとともに、引き戸の内部に埋設可能とするような薄型化を図るための工夫がなされてない。
また、特許文献２に記載の引き戸クローザについても、クローザ自体を引き戸の一面に対して垂直方向に起立させた状態で設置させており、引き戸の厚さ方向に大きく突出していたため、薄くできなかった。
【０００５】
本発明は、上記事情に鑑みてなされたもので、簡単な構成で、かつ、引き戸内部に収容可能な薄型化を図ることができる引き戸クローザを提供することを目的とする。
【課題を解決するための手段】
【０００６】
上記目的を達成するため、本発明の引き戸クローザは、建物側または引き戸側のいずれか一方に先端を取付けたワイヤと、このワイヤの基端を固設するらせん状のぜんまいを収容したぜんまい室及びこのぜんまい室の外側に形成したワイヤ室を有し、前記建物側または引き戸側のいずれか他方に取付けた筐体に収納するぜんまいユニットと、前記ワイヤの中間部を巻装若しくは係止するとともに前記引き戸の閉じ動作に抗したダンパ力を前記ワイヤを介して前記引き戸に付与するために、前記ぜんまいユニットと一体で前記筐体に収納したダンパユニットと、前記ワイヤが所定の通過経路から離脱するのを防止するワイヤ乱れ防止手段とを備え、開放した前記引き戸を自動的に閉鎖する引き戸クローザであって、前記引き戸を閉鎖したときに巻き取った部分の前記ワイヤは、前記ワイヤ室に収納するように構成し、前記ぜんまいユニットには、前記引き戸の閉扉速度を調整する調速手段を前記ぜんまい室に隣接する調速室に備え、ワイヤプーリの巾の中に前記ぜんまい室と前記調速手段を納め薄型化するとともに、前記ワイヤ室には、前記ワイヤを巻き取るためのワイヤプーリを前記ぜんまい室との第１の境界壁で構成し、前記調速手段は、前記ぜんまい室と前記調速室との第２の境界壁の厚さを前記ぜんまい軸寄りの方が前記ぜんまいの外周寄りの方よりも厚く形成し、前記ワイヤ乱れ防止手段は、前記ダンパユニットと前記ぜんまいユニットとを互いに近接状態で、かつ、前記筐体の内壁面に近接配置することで形成した隙間と、前記ワイヤの通過経路近傍に設置したストッパとで構成したことを特徴とする。
【０００７】
また、本発明の引き戸クローザは、前記ダンパユニットが、前記ワイヤの中間部を巻装または係止させるダンパプーリの回転中心に設けたプーリ軸は、前記筐体の一方側の面に開口した軸孔に支持される片持ち構造を有し、かつ、前記ワイヤの引張動作の際に前記ダンパプーリが偏心動作を発生したときに、プーリ端部が前記筐体の軸孔部に微小な間隔をもって嵌合され、力を受けたときに、すべりながら回転して両端支持として前記ワイヤの力を受けることを特徴とする。
【０００８】
また、本発明の引き戸クローザは、前記ぜんまいユニットと前記ダンパユニットとを一体で収納した前記筐体が、前記引き戸の上面に開口したロック空間の内部に収容されているとともに、前記引き戸の上面の前記ロック空間に前記筐体が入り込むと、前記ロック空間内に設けたロック室に係止してロックがされるロック手段を前記筐体に備え、かつ、
引き戸の前記ロック空間の内部の一部壁面又は全壁面に沿って、反発性のある弾性部材を固着させたことを特徴とする。
【０００９】
また、本発明の引き戸クローザは、前記ロック空間が、前記筐体の一面が前記引き戸の上面から外部に臨む状態で前記筐体が嵌入する埋設空間を構成し、前記埋設空間に収容した前記筐体を前記引き戸の上面に螺着するための固定板を一体に備え、前記引き戸を挿脱させる際に前記引き戸が、この引き戸の上面と対向する前記建物側に衝突するのを防止する保護手段を備えたことを特徴とする。
【００１０】
また、本発明の引き戸クローザは、前記引き戸の前記上面と対向する前記建物側にガイドレールを有し、前記引き戸の前記上面に、ブラケッットとこのブラケットに回転可能に取付けて前記ガイドレールに沿って転動しながら開閉するための戸車とを有し、前記ブラケットは、中央部にワイヤ孔を貫通して設け、前記ワイヤは、前記ワイヤ孔を貫通して前記建物側と前記引き戸との間に架設されていることを特徴とする。
【発明の効果】
【００１１】
本発明によれば、ぜんまい室の外側の第１の境界壁をワイヤを巻き取るためのプーリとして構成したことで構成の簡易化を図ることができるとともに、ぜんまい室と調速室との第２の境界壁の厚さを一部薄くさせることにより筐体の薄型化を図っているので、引き戸内部に収容可能な引き戸クローザを提供できる。
【発明を実施するための最良の形態】
【００１２】
以下、本発明の実施形態について、添付図面を参照しながら詳細に説明する。
(第１の実施形態)
図１及び図２は、本発明の第１の実施形態に係る引き戸クローザ（以下、「クローザ」と略す）２を取付けた引き戸１を示すものであり、この引き戸１には、上面１１に切欠いた埋設空間１３にクローザ２のケーシングを構成する筐体３が嵌入されて固設されているとともに、下面１２には建物（家屋）側の床面Ｆ上を引き戸の開閉方向(図１において、開扉方向をα、閉扉方向をβで示す。)に沿って転動するローラＲを設置している。また、この引き戸１が建物（家屋）側の上部枠体Ｗに沿って開閉するときの移動動作をガイドして引き戸１の転倒を防止するため、引き戸1の上部に対向する上部枠体Ｗに、断面略コ字形（図１（Ｂ）参照）のガイド部材Ｇを固定して設けてある。
【００１３】
クローザ２は、筐体３の上面３１のみが引き戸１の上面１１から外部に臨む状態で埋設空間１３に嵌入させてねじ３０Ｂで引き戸１に固定されており、筐体３の上面３１と引き戸１の上面１１とが略面一状態で設置されている。別な実施形態として、筐体３の上面３１を引き戸１の上側に埋め込み、筐体３の上面３１と引き戸１の上面１１とが面一となるようにしてもよい。面一とすると、引き戸１の上面１１と上部枠体Ｗとの空間を大きく確保することができる。また、クローザ２は、筐体３の上面３１に開口させた開口３Ａから引き出されたワイヤ４の先端部分が、図２に示すように、建物（家屋）側の上部枠体Ｗの戸当りＴ近傍のガイド部材Ｇの固定ねじで固定されている。
【００１４】
さらに、クローザ２は、筐体３の内部に、前述したワイヤ４と、以下に後述する、ぜんまいユニット５と、ダンパユニット６と、ワイヤ乱れ防止手段７とを備えている。
【００１５】
このうち、ぜんまいユニット５は、図３に示すように、ぜんまい５１を収容したぜんまい室５２と、ワイヤ４を収納するワイヤ室５３と、引き戸１の閉扉速度を調整する調速手段８とを備えている。ぜんまい５１は、ぜんまい軸５５を中心にして螺旋状に多数回巻装されているとともにその最外巻き部分はぜんまい室５２の内壁に固定されている。ワイヤ４の他端はワイヤプーリ部に固設している。ワイヤ室５３は、ぜんまい室５２の外側に略円環状に形成してあり、ぜんまい室５２との壁(第１の境界壁)５７がワイヤプーリを構成しており、引き戸１が閉止したときには多数のワイヤ４が整列巻きされた状態で巻き取られる。なお、ぜんまい軸５５は、ぜんまいユニット５及び筐体３に対して回転可能な状態で軸支させてあるが、後述の調速手段８の調速軸８１と一体をなしており、調速軸８を所望の位置で固定させることで、ぜんまい軸５５も回転不動の状態に固定される。
【００１６】
調速手段８は、引き戸１を最後まで完全に閉じた閉扉状態のときのぜんまい５１の巻き数を変更して引き戸１の閉扉速度を調整するものであり、ぜんまい室５２の側面と対面（並設）する調速室５４に設け、ワイヤプーリの幅の中にぜんまい室５２と調速室５４を併設して納めることにより薄型化することができた。特に、本発明では、ぜんまい室５２と調速室５４との境界を構成する一面の壁(第２の境界壁)５６の厚さを、ぜんまい５１のぜんまい軸５５寄りの方が螺旋状のぜんまい５１の外周寄りの方よりも厚くなるように形成してある。これにより、後述する閉扉速度調整のためにロックピン８２を回動させるための「にげ空間」を確保しており、ロックピン８２が後述する係止部材８３を乗り越えることができる。このようにして、クローザ２の薄型化が図られているので、通常の引き戸１に対しても本実施形態のクローザ２を埋設できる。
【００１７】
本実施形態の調速手段８は、ぜんまい５１の回転軸５５と一体になってぜんまい室５２から第２の境界壁５６を貫通して調速室５４に突出する調速軸８１と、調速軸８１の軸方向に直交する方向（つまり、ぜんまい５１の半径方向）に伸びる、ぜんまい室５２内部に設置したロックピン８２と、このロックピン８２を回動させることで、ばね力調整した後のぜんまい５１の巻き状態を固定するために、調速室５４内部の複数個所に設置してロックピン８２を所望の位置で係止させる係止部材８３とを有する。ロックピン８２には、最低限の強度を確保したうえで、筐体３の薄型化のためにできるだけ細径に形成されている。また、このロックピン８２の頭部には、係止溝８２Ａを設けているが、例えば図２に示すように、ぜんまいユニット５、筐体３及び引き戸１正面のそれぞれロックピン８２と対応する位置に、透孔(図２では筐体３の透孔３Ｂのみを示す)を穿設しておけば、引き戸１の外部からマイナスのドライバやコインを係止溝８２Ａに係止させて閉扉速度の調整ができる。
【００１８】
ダンパユニット６は、引き戸１が閉じる際にこの閉じ動作に抗したダンパ力をワイヤ４を介して引き戸１に付与するものであり、本実施形態では、ワイヤ４の中間部を複数回にわたって巻装するようになっており、薄型円板状の内部空間を有し内部にダンパ(図略)を収納するダンパ６１と、ダンパ６１と（同軸状態で）並設し外周面に沿ってワイヤ４が巻装されるダンパプーリ６２とを備えている。ダンパ６１は、いずれも図示しないが、ダンパ室に充填したダンパオイルと、一方向にのみダンパオイルの油圧抵抗を受けるダンパブレードとを備える。また、ダンパブレードの中心に設けたダンパ軸は、後述するダンパプーリ６２のプーリ軸６３と一体となって延伸し、ダンパユニット６を貫通して筐体３まで達している。換言すれば、このダンパ軸は、軸孔３２にて荷重を受ける片持ち支持構造の状態で、筐体３に回転自在に支持されている。
【００１９】
ダンパプーリ６２は、ダンパ側から発生するダンパ力をワイヤ４に伝達させることでゆっくりとした閉扉動作を実現するために設置されており、本実施形態では、前述したように、先端と基端との間の中間部分のワイヤ４を複数回にわたって整列状態で巻装している。また、このダンパプーリ６２のプーリ軸６３は、引き戸１の開扉の際のワイヤ４の引張動作などに伴い、プーリ室６４(又は筐体３)内でダンパプーリ６２が偏心動作を発生したときに、プーリ室６４(又は筐体３)の内壁に衝突せずにダンパプーリ６２の回転を保障するために、筐体３の軸孔３２との間に所定のわずかな隙間(但し、図３では殆ど確認できない程度の微細な間隔となっている)を設け、ワイヤ４が急激な力を受けた時は、ダンパプーリ６２の端面が筐体３の軸孔３２で支えられ、両端支持の形で滑りながら回転し、荷重を分散することができる。
【００２０】
ワイヤ乱れ防止手段７は、ワイヤ４が所定の通過経路から脱線するのを防止するものであり、引き戸１が閉鎖される方向に戻る際に、仮にワイヤ４が緩んだ状態となっても脱線するのを防止するようになっている。このため、ワイヤ乱れ防止手段７は、それぞれ、ダンパユニット６と筐体３との間、ダンパユニット６とぜんまいユニット５との間、およびぜんまいユニット５と筐体３との間、のワイヤ４の正常な通過経路から脱線するのを防止するために、ダンパユニット６とぜんまいユニット５を互いに近接状態で、かつ、筐体３の内壁面にダンパユニット６とぜんまいユニット５を近接配置することで形成した隙間７Ａ〜７Ｅと、ワイヤ４の正常な通過経路の近傍に設置したストッパ７１〜７３とで構成している。特に、ストッパ７１，７２は、ワイヤ４の正常な通過経路を挟んだ両側で、その経路に近接したところに設置してある。
【００２１】
また、本実施形態の筐体３は、埋設空間１３に嵌入する状態で埋設した筐体３を引き戸１の上面にねじ３０Ｂで固定するためのねじ孔３０Ａを設けた固定板３０を一体に備えている。また、この筐体３には、引き戸１を取り外したり吊り込ませたりする際に、引き戸１の上面１１に対向する建物（家屋）側の上部枠体Ｗにクローザ２が衝突するのを防止する保護手段３３を備えている。この保護手段３３は、ゴムなどの弾性部材で略円錐台形状などに形成されており、引き戸１の上面１１から突出するクローザ２のダンパユニット６のダンパプーリ６２よりも高く突出している。
【００２２】
従って、本実施形態によれば、図３(Ａ)に示すように、ぜんまい室５２と調速室５４との境界を構成する一面の壁５６の厚さを、ぜんまい５１のぜんまい軸５５寄りの方が螺旋状のぜんまい５１の外周寄りの方よりも厚くなるように形成してある。換言すれば、ロックピン８２が後述する係止部材８３を乗り越えることができる状態下で、調速室５４の厚さを最小限に抑えてある。これにより、閉扉速度の調整のために必要なロックピン８２を回動させることができるための「にげ空間」を、必要最小限の厚さで確保できるようになっている。
このように、本実施形態によれば、クローザ２の薄型化が図られているので、通常の引き戸１に対しても、特に厚さを増大させずに本実施形態のクローザ２を収容して埋設できる。しかも、ロックピン８２を強度の許す範囲内においてできるだけ細径にしてぜんまい室５２内部に設置したので、さらに筐体３の薄型化を図ることができる。
【００２３】
さらに、本実施形態によれば、引き戸１の埋設空間１３にクローザ２を埋設することでクローザ２が隠れて外部から見えないようにできる。しかも、引き戸１の上部の建物（家屋）側の上部枠体Ｗとの間の隙間を利用して、上部枠体Ｗとクローザ２との間にワイヤ４を架設しており、上部枠体Ｗの下面に固設したガイド部材Ｇでワイヤ４を隠して見えないようにできるので、見栄えのよいクローザ２を提供できる。
【００２４】
なお、本実施形態では、ダンパプーリ６２とワイヤ４の関係を、図３に示すように、多数回整列巻きさせるように構成したが、例えば図４に示すように、ダンパプーリ６２に対してワイヤ４を1巻き分だけ係止させるようなＶ溝６２Ａをダンパプーリ６２に形成するような構成としてもよい。
【００２５】
(第２の実施形態)
次に、本発明の第２の実施形態について図５を参照しながら詳細に説明する。なお、本実施形態において、第１実施形態と同一部分には同一符号を付して重複説明を避ける。
本実施形態では、第１実施形態と異なり、筐体３が引き戸１の上面に開口したロック空間１５の内部に収容されているとともに、引き戸１の上面１１のロック空間１５に設けたロック室１５Ａ、１５Ｂに筐体３が入り込むと、ロック室１５Ａ、１５Ｂに係止してロックがされるロック手段３４を筐体３に備えている。
【００２６】
ロック室１５Ａ、１５Ｂは、ロック室１５の左右に位置する縦方向の両壁面から引き戸１の開閉方向に向けて一段掘り込んだ溝空間で構成されている。一方、本実施形態のロック手段３４は、薄い金属鋼板などで略へ字形に形成してばね性を有しており、引き戸１の上面１１からロック空間１５に筐体３を挿入すると、ロック室１５Ａ、１５Ｂに簡単に入り込んで弾性力でロックがかかり抜け出さないようになっている。
【００２７】
また、筐体３には、がたつきなどを解消するといった目的で、引き戸１のロック空間１５内部の一部壁面（又は全壁面でも良い)に沿って、反発性のある弾性部材３５を固着させてあり、本実施形態ではロック空間１５内部の底面部分にスポンジ状のものを固着させてある。
【００２８】
さらに、筐体３には、ねじ３０Ｂで固定するためのねじ孔３０Ａを設けた固定板３０を、引き戸１の上面に一体に備える第１の実施形態のものとは異なり、これに代えて、筐体３に外付け用の孔３Ｃを対角方向に設けている。
【００２９】
従って、本実施形態によれば、クローザ２を引き戸１へワンタッチで装着できるようになる。
【００３０】
(第３の実施形態)
次に、本発明の第３の実施形態について図６を参照しながら詳細に説明する。なお、本実施形態において、第１、第２実施形態と同一部分には同一符号を付して重複説明を避ける。
本実施形態では、第１、第２実施形態と異なり、引き戸１の上面１１に対向する建物（家屋）側の上部枠体Ｗに沿ってガイドレールＧＲを設置しているとともに、引き戸１には上面１１にブラケッット９及びこのブラケット９に回転可能に取付けてガイドレールＧＬに沿って転動しながら開閉するための戸車９１を有している。
【００３１】
また、ブラケット９には、中央部が開口したワイヤ孔９２を貫通して設けており、ワイヤ４がこのワイヤ孔９２を貫通して建物（家屋）側と引き戸１の間に架設されている。
【００３２】
(第４の実施形態)
次に、本発明の第４の実施形態について図７を参照しながら詳細に説明する。なお、本実施形態において、第１〜第３実施形態と同一部分には同一符号を付して重複説明を避ける。
本実施形態では、第１〜第３実施形態と異なり、引き戸１の上面１１に対向する建物（家屋）側の上部枠体Ｗの戸当りＴの近傍(閉じ際)に、クローザ２を固設しているとともに、引き戸１の戸当りＴに対向する先端部近傍の上部にワイヤ４の先端を固定する係止腕部材４Ａを固定して設けてある。
【００３３】
なお、本発明は上述した実施形態に何ら限定されるものではなく、その要旨を逸脱しない範囲において種々の形態で実施し得るものである
【産業上の利用可能性】
【００３４】
本発明の引き戸クローザは、簡単な構成であるとともに引き戸内部に埋設可能な薄型化を図ることができる効果を有し、市販の引き戸等にそのまま設置してその自閉装置として用いるのに有用である。
【図面の簡単な説明】
【００３５】
【図１】（Ａ）は本発明の第１の実施形態に係る引き戸クローザを取付けた引き戸を示す正面図、（Ｂ）は側面図、（Ｃ）は引き戸を開いた状態を示す正面図である。
【図２】図1に示す第１の実施形態のクローザとワイヤの設置状態を示す説明図である。
【図３】（Ａ）は本発明の第１の実施形態に係る引き戸クローザを示す平面図、（Ｂ）は正面図である。
【図４】本発明の第１の実施形態に係る引き戸クローザの変形例を示す平面図である。
【図５】本発明の第２の実施形態のクローザとワイヤの設置状態を示す説明図である。
【図６Ａ】本発明の第３の実施形態に係る引き戸クローザを示す正面図。
【図６Ｂ】本発明の第３の実施形態に係る引き戸クローザの側面図である。
【図７】本発明の第４の実施形態に係る引き戸クローザを取付けた引き戸を示す斜視図である。
【図８】従来の引き戸クローザの構成を示す説明図である。
【図９】（Ａ）は従来の他の引き戸クローザの構成を示す斜視図、（Ｂ）はその断面図である。
【符号の説明】
【００３６】
１  引き戸
１１  上面
１２  下面
１３  埋設空間
１５  ロック空間
２  引き戸クローザ
３  筐体
３０  固定板
３１  筐体の上面
３２  軸孔
３３  保護手段
３４  ロック手段
４  ワイヤ
５  ぜんまいユニット
５１  ぜんまい
５２  ぜんまい室
５３  ワイヤ室
５４  調速室
５５  ぜんまい軸
５６  第２の境界壁
５７  第１の境界壁
６  ダンパユニット
６１  ダンパ
６２  ダンパプーリ
６２Ａ  Ｖ溝
６３  プーリ軸
６４  プーリ室
７  ワイヤ乱れ防止手段
７Ａ〜７Ｅ  隙間
７１〜７３  ストッパ
８  調速手段
８１  調速軸
８２  ロックピン
８３  係止部材
９  ブラケッット
９１  吊り戸車
９２  ワイヤ孔
Ｆ（建物側の）床面
Ｇ  ガイド部材
ＧＲ  ガイドレール
Ｒ  ローラ
Ｔ  （建物側の）戸当り
Ｗ  （建物側の）上部枠体
α  開扉方向
β  閉扉方向
【図１】
2008144421.tif 000003
【図２】
2008144421.tif 000004
【図３】
2008144421.tif 000005
【図４】
2008144421.tif 000006
【図５】
2008144421.tif 000007
【図６Ａ】
2008144421.tif 000008
【図６Ｂ】
2008144421.tif 000009
【図７】
2008144421.tif 000010
【図８】
2008144421.tif 000011
【図９】
2008144421.tif 000012